(57)【特許請求の範囲】
【請求項１】
間仕切ユニット（５０）と連結対象体（６０）とを連結する連結構造であって、
間仕切ユニットと連結対象体との各対面側縁部には、夫々、縦フレーム（Ｆ１，Ｆ２）が設けられており、
横方向部（１２）と、Ｌ字側縦方向面（１４Ｓ）を有するＬ字側縦方向部（１４）とを有する側面視略Ｌ字状の連結具（１０）を有し、
レ字側縦方向面（２４Ｓ）を有するレ字側縦方向部（２４）と、該レ字側縦方向面に対面する側に設けられて該レ字側縦方向面に対して傾斜したレ字側傾斜部（２６Ｓ）を有するレ字側係合部（２６）とを有し、該レ字側係合部と前記レ字側縦方向部との連結部（２２）は該レ字側縦方向部よりも細い略レ字状の連結具（２０）を有し、
前記レ字側縦方向部には、その上側に開口する雌ねじ部（２４Ｎ）が設けられており、前記Ｌ字状連結具の横方向部には前記雌ねじ部に螺合するねじ部品（３０）よりも所定量大きな孔（１８）が縦方向に貫通して設けられており、
前記Ｌ字側縦方向部には、前記横方向部の前記孔から遠い側の側面に、前記レ字側傾斜部と当接し合うＬ字側傾斜部（１６Ｓ）を設けており、
前記両連結具を両傾斜部同士が対面する状態に組合せた状態では、前記Ｌ字側縦方向面と前記レ字側縦方向面とが対面すると共に、レ字側縦方向部の平面視端面に対し、平面視において前記横方向部がはみ出した領域（１２Ｓ）を有し、
前記何れの縦フレームにも少なくとも上方部には上端から縦方向に穴（Ｆ１Ａ，Ｆ２Ａ）が設けられていると共に、互いに対面する各縦フレームの対面壁（Ｆ１Ｈ，Ｆ２Ｈ）には上端から縦方向に切り欠かれて前記穴よりも幅狭の切欠部（Ｆ１Ｋ，Ｆ２Ｋ）を設けており、何れかの縦フレーム又は該縦フレームの上部に設けた部品に、横方向部の前記はみ出した領域を受け止めることができる載置部（５２Ｄ）を設けており、
前記組合せ状態において前記孔を挿通させた前記ねじ部品を前記雌ねじ部に螺合させた連結具組体（４０）の状態で、前記連結部を前記切欠部に挿通させつつ前記載置部を設けた縦フレームの前記穴にレ字側縦方向部を挿入すると共に、他の縦フレームの前記穴にＬ字側縦方向部を挿入した状態で前記ねじ部品を締め込むことで間仕切ユニットと連結対象体とを連結させる
ことを特徴とする間仕切ユニットの連結構造。
【請求項２】
前記Ｌ字側傾斜部はＬ字側縦方向部に設けた溝（１４Ｍ）の傾斜状底部であり、前記レ字側係合部が該溝に嵌まる寸法である請求項１記載の間仕切ユニットの連結構造。
【請求項３】
前記横方向部であって、Ｌ字側縦方向部との連結部近くが細幅になるように切り欠かれた形状であり、該細幅部位（１２Ｈ）の幅が前記切欠部の幅以下に構成されている請求項１又は２記載の間仕切ユニットの連結構造。
【請求項４】
前記上側、上方部、上端、上部、載置部の用語を、夫々、下側、下方部、下端、下部、押し当て部に置き換え表現した構造であって、間仕切ユニットの下部を連結する請求項１又は２記載の間仕切ユニットの連結構造。
【請求項５】
請求項１〜３の何れか１記載の間仕切ユニットの連結構造を有すると共に、該間仕切ユニットの下部の連結構造を有し、該下部連結構造は下部レ字状連結具（８０）と傾斜状連結具（９０）とを具備し、
下部レ字状連結具は、間仕切ユニットと連結対象体との前記各縦フレームの一方に保持させる基部（８２）と、該基部に連結され、該一方の縦フレームから上方程遠ざかる方向に傾斜した下部レ字側傾斜部（８４）を有する下部レ字側係合部（８６）とを有し、
前記傾斜状連結具は、他方の縦フレームに保持させる基部（９２）と、該基部に連結され、前記下部レ字側傾斜部に対面できると共に同じ傾斜角度である傾斜部（９４）を有する係合部（９６）とを有し、
該傾斜部を前記下部レ字側傾斜部に対面させつつ、前記係合部を前記下部レ字側係合部に係合できる間仕切ユニットの連結構造。
【発明の詳細な説明】
【技術分野】
【０００１】
本発明は、間仕切ユニットの連結構造に関する。
【背景技術】
【０００２】
例えば、下記特許文献１〜３には間仕切ユニットの種々の連結構造が開示されている。
【特許文献１】特開２００３−５６１０４号公報
【特許文献２】特開２００３−５６１０５号公報
【特許文献３】特許第３８８９４０３号公報
【特許文献４】特開２００５−２３２６９５号公報  特許文献１〜３は、主にボルトを傾斜指向させて隣接する間仕切ユニットを連結する構造を開示している。特許文献４は、段差のある間仕切ユニット同士の連結構造を開示している。
【発明の開示】
【発明が解決しようとする課題】
【０００３】
本願では、上記各種公報開示の構造と異なる構造であって、円滑な連結作業の可能な間仕切ユニットを連結する構造を提供する。
本発明の課題は、連結作業が簡便であって強固な連結を可能にさせる間仕切ユニットの連結構造を提供することである。
【課題を解決するための手段】
【０００４】
第１の発明では、間仕切ユニットと連結対象体とを連結する連結構造であって、間仕切ユニットと連結対象体との各対面側縁部には、夫々、縦フレームが設けられており、横方向部と、Ｌ字側縦方向面を有するＬ字側縦方向部とを有する側面視略Ｌ字状の連結具を有し、レ字側縦方向面を有するレ字側縦方向部と、該レ字側縦方向面に対面する側に設けられて該レ字側縦方向面に対して傾斜したレ字側傾斜部を有するレ字側係合部とを有し、該レ字側係合部と前記レ字側縦方向部との連結部は該レ字側縦方向部よりも細い略レ字状の連結具を有し、前記レ字側縦方向部には、その上側に開口する雌ねじ部が設けられており、前記Ｌ字状連結具の横方向部には前記雌ねじ部に螺合するねじ部品よりも所定量大きな孔が縦方向に貫通して設けられており、前記Ｌ字側縦方向部には、前記横方向部の前記孔から遠い側の側面に、前記レ字側傾斜部と当接し合うＬ字側傾斜部を設けており、前記両連結具を両傾斜部同士が対面する状態に組合せた状態では、前記Ｌ字側縦方向面と前記レ字側縦方向面とが対面すると共に、レ字側縦方向部の平面視端面に対し、平面視において前記横方向部がはみ出した領域を有し、前記何れの縦フレームにも少なくとも上方部には上端から縦方向に穴が設けられていると共に、互いに対面する各縦フレームの対面壁には上端から縦方向に切り欠かれて前記穴よりも幅狭の切欠部を設けており、何れかの縦フレーム又は該縦フレームの上部に設けた部品に、横方向部の前記はみ出した領域を受け止めることができる載置部を設けており、前記組合せ状態において前記孔を挿通させた前記ねじ部品を前記雌ねじ部に螺合させた連結具組体の状態で、前記連結部を前記切欠部に挿通させつつ前記載置部を設けた縦フレームの前記穴にレ字側縦方向部を挿入すると共に、他の縦フレームの前記穴にＬ字側縦方向部を挿入した状態で前記ねじ部品を締め込むことで間仕切ユニットと連結対象体とを連結させることを特徴とする間仕切ユニットの連結構造を提供する。
【０００５】
連結対象体は、間仕切ユニットの場合の他、例えば、２つの間仕切ユニットを直交等に交差させて設ける場合に使用される支柱の場合もある。所定量大きな孔には所定方向に長い長孔が含まれ、この長孔が好適である。上記何れの傾斜部も完全な傾斜平面が含まれることは勿論であるが、一方が傾斜平面であれば、他方は波状面であっても、その波状面に接する接平面が前記傾斜平面と同じ傾斜角度であればよい。
更には、ここでは間仕切ユニットの上部を連結する構造として記載したが、下部に適用する発明の場合も、発明１の上下を逆に表現する（例えば、上方部を下方部と表現する）だけでよく、それを第４の発明に記載している。
【０００６】
第２の発明では、第１の発明の前記Ｌ字側傾斜部はＬ字側縦方向部に設けた溝の傾斜状底部であり、前記レ字側係合部が該溝に嵌まる寸法である。
第３の発明では、第１又は第２の発明の前記横方向部であって、Ｌ字側縦方向部との連結部近くが細幅になるように切り欠かれた形状であり、該細幅部位の幅が前記切欠部の幅以下に構成されている。
【０００７】
第４の発明では、第１又は第２の発明の上側、上方部、上端、上部、載置部の用語を、夫々、下側、下方部、下端、下部、押し当て部に置き換えて表現できる構造で間仕切ユニットの下部を連結する。
【０００８】
第５の発明では、第１〜第３の発明の何れか１記載の間仕切ユニットの連結構造を有すると共に、該間仕切ユニットの下部の連結構造を有し、該下部連結構造は下部レ字状連結具と傾斜状連結具とを具備し、下部レ字状連結具は、間仕切ユニットと連結対象体との前記各縦フレームの一方に保持させる基部と、該基部に連結され、該一方の縦フレームから上方程遠ざかる方向に傾斜した下部レ字側傾斜部を有する下部レ字側係合部とを有し、前記傾斜状連結具は、他方の縦フレームに保持させる基部と、該基部に連結され、前記下部レ字側傾斜部に対面できると共に同じ傾斜角度である傾斜部を有する係合部とを有し、該傾斜部を前記下部レ字側傾斜部に対面させつつ、前記係合部を前記下部レ字側係合部に係合できるよう構成する。
第５の発明の何れの傾斜部も完全な傾斜平面が含まれることは勿論であるが、一方が傾斜平面であれば、他方は波状面であっても、その波状面に接する接平面が前記傾斜平面と同じ傾斜角度であればよい。
【発明の効果】
【０００９】
第１の発明では、２つの連結具を組み合わせてねじ部品で螺合させた連結具組体を、間仕切ユニットの上方から挿入すれば、Ｌ字状連結具の横方向部が縦フレーム等の載置部に受け止められて保持される。この状態のＬ字側縦方向面とレ字側縦方向面との間に、間仕切ユニットと連結対象体の各縦フレームの対面壁が位置している。この状態で、上方からねじ部材をねじ込めば、ねじ部品よりも大きくて、各縦方向面同士が近づく方向に長い長孔等、謂わば、バカ孔になっている孔と、Ｌ字側傾斜部とレ字側傾斜部との傾斜当接関係によって、Ｌ字状連結部とレ字状連結部とが、各縦方向面同士が近づくように互いに近づく。従って、Ｌ字側縦方向面とレ字側縦方向面との間に、前記各縦フレームの対面壁を両方挟持することができる。これにより、間仕切ユニットと連結対象体とを互いに引き寄せて強固に連結できる。
また、各縦フレームの対面壁を両方挟持するので、摩擦によって連結具組体が容易には上方に抜け出ない。従って、第４の発明に述べるように、間仕切ユニットの下部に適用した場合も、連結具組体の落下を防止できる。
【００１０】
第２の発明では、傾斜状底部がＬ字側傾斜部となるＬ字側縦方向部の溝にレ字側係合部が嵌まるので、傾斜部同士の係合関係と併せると、連結具組体の（仮）組立状態が安定し、両縦フレームに連結具組体各部を挿入する際に円滑な作業が可能となる。
第３発明では、横方向部であって、Ｌ字側縦方向部との連結部近くが細く切り欠かれ、該細い部位の幅が前記切欠部の幅以下に構成されているので、間仕切ユニットと連結対象体との高さが異なって段違いになっていても、切り欠かれた細い部位を高い方の縦フレームの対面壁の切欠部に挿通させることができるため、前記載置部を低い方の縦フレーム又はその上部に設けた部品に設ければ、段違いの連結が可能になる。
【００１１】
第４の発明では、第１や第２の発明と同じ連結具組体を上下逆にして間仕切ユニットの下部を連結できる。
第５の発明では、間仕切ユニットの下部を連結する手段として、一方の縦フレームに保持させた下部レ字状連結具の下部レ字側係合部の下部レ字側傾斜部と、他方の縦フレームに保持させた傾斜状連結具の係合部の傾斜部とを対面させるように、他方の縦フレーム側を、例えば、上方から差し込むように動かすことにより、下部レ字状連結具の下部レ字側係合部に対して、傾斜状連結具の係合部を係合させることができる。この後、間仕切ユニットの上部を連結させ、上部のねじ部品の締め込みによって、下部の両連結具が保持された両縦フレーム同士、即ち、間仕切ユニットと連結対象体同士が互いに引き寄せられて、下部もその動きに追従でき、上部と下部とを併せて間仕切ユニットの連結状態が安定する。
【発明を実施するための最良の形態】
【００１２】
図１は、本発明に係る連結構造に使用するＬ字状連結具１０とレ字状連結具２０とねじ部品３０との分解斜視図、図２は図１の３個の部品を異なる方向から見た分解斜視図、図３はこれら３つの部品を仮組みした連結具組体４０の上面図（ａ）、側面図（ｂ）、下面図（ｃ）を示す図、図４はこれら３つの部品を組み合わせた際の部品間の動きの説明用断面図である。連結具１０は、側面視形状が概ねＬ字形状に見えるためＬ字状連結具と称し、連結具２０は、側面視形状が概ねレ字形状に見えるためレ字状連結具と称する。両連結具共に、金属鋳造品ないしは樹脂成形品である。
【００１３】
本願において、各連結具における上下、縦、横等の方向表現は、連結具としての使用状態における方向である。また、本明細書の後の方を除き、主にパーティション等の間仕切ユニット５０，６０の上部を連結させる構造について説明する。従って、その前提では、例えば図１の上方側が連結具の上側である。Ｌ字状連結具１０は、Ｌ字側縦方向部（混同しない限り、単に、縦方向部と称することがあり、以下における他部の表現も同様である。）１４と横方向部１２とで略Ｌ字を成す。縦方向部には、横方向部の設けられている側の面に縦方向面１４Ｓを、下に述べる横方向部の細幅部位１２Ｈの左右両側に設けている。
【００１４】
横方向部１２は、縦方向部１４との連結部（交差部）の付近に、その先部よりも細幅に形成された細幅部位１２Ｈを有する。この細幅部位は、後述する縦フレームＦ１の切欠部Ｆ１Ｋを挿通可能な幅であり、後述の図９に示す段差のある間仕切ユニット同士５０’，６０の連結に必要となるが、段差の無い間仕切ユニット同士の連結では細幅でなくてもよく、例えば図３の（ａ）の２点鎖線１２Ｈ’で示す広幅でもよい。また、横方向部１２には所定位置に上下方向に貫通した長孔１８が形成されている。この長孔は横方向部の延伸方向に長く、ねじ部品３０（の雄ねじ部３０Ｎ）が長孔の長手方向に所定量移動可能に設定している。この長手方向に直交する短手方向の寸法は、雄ねじ部の外径と概ね同じである。
【００１５】
他方のレ字状連結具２０は、縦方向部２４と、レの字の先部を形成する係合部２６とを有し、これらの間を連結部２２が連結している。この縦方向部２４の上端面２４Ｔに開口した雌ねじ部２４Ｎが上下方向に設けられており、前記長孔１８を介してここにねじ部品３０を螺合させる。こうして仮組み状態の連結具組体４０が構成できるが、この組体（又は２部品１０，２０だけの組合せ状態でもよい）の平面視において、前記横方向部１２が前記上端面２４Ｔよりもはみ出した領域１２Ｓを有するように大きく形成している。このはみ出し領域１２Ｓは、図３の下面図（ｃ）にあえてハッチングを入れた領域として明示している。この領域は、連結具組体４０を後述の間仕切ユニット５０，６０等の縦方向フレームＦ１，Ｆ２（図５）に差し込んだ（落とし込んだ）場合に、所定の載置部に受け止めてもらって上下方向の位置決めを行う係合領域となる。
【００１６】
レ字状連結具２０の縦方向部２４には、係合部２６と対面する側に縦方向面２４Ｓが設けられており、該係合部には、縦方向面２４Ｓと対面する側に、該縦方向面に対して上方程離れる方向に傾斜した傾斜部としての一形態例である傾斜面２６Ｓが設けられている。
【００１７】
一方、Ｌ字状連結具１０の縦方向部１４に、前記長孔１８から遠い側の側面、即ち、横方向部の設けられている側とは反対側の側面（縦方向面１４Ｓとは反対側の側面）に、前記傾斜面２６Ｓと当接し合うＬ字側傾斜部としての一形態例であるＬ字側傾斜面１６Ｓが設けられている。従って、これら両傾斜面が当接しあうと、前記縦方向面１４Ｓ，２４Ｓ同士は対面する位置関係になり、この間に、後述の図５に示す両縦フレームＦ１，Ｆ２の対面壁Ｆ１Ｈ，Ｆ２Ｈを共に挟持できる。
【００１８】
第１の発明の観点からは必須要件ではないが、この傾斜面１６Ｓは縦方向部１４に設けた溝１４Ｍの傾斜状の底面として形成されており、この溝に、レ字状連結具の係合部２６を嵌め合わせるように構成している。即ち、係合部２６の幅δは、溝１４Ｍの溝幅Δ以下であって、大きくは違わないように設定している。第１の発明の観点からは、この溝が無く、単なる傾斜面だけでもよい。
【００１９】
このため、連結具組体４０として組み合わせた場合に、両連結具の溝１４Ｍの溝幅方向のガタツキが小さく、縦フレームへの挿入作業がより円滑になる。また、傾斜面同士も当接するため、前記溝幅方向に直交する方向のガタツキも防止できる。更には、レ字状連結具の連結部２２の幅も縦方向部２４の幅よりも小さく設定し、後述の縦フレームの切欠部Ｆ１Ｋ，Ｆ２Ｋの幅寸法以下の幅（所定の幅）にしており、更にこの例では、前記係合部２６の幅δも、製造を容易にするために連結部の幅と同じにしている。
【００２０】
Ｌ字状連結具の縦方向部１４の上突出部に設けた孔１０Ｋは、連結具組体４０を間仕切パネル連結に使用した後、例えば分解する際、この孔に適宜な鈎状部材を引っ掛け、容易に引き上げるために設けている。
【００２１】
図５は、上記の連結具組体４０を使用した同一高さの１対の間仕切ユニット５０，６０の上部を連結する構成説明用の分解斜視図であり、図６はその上面図、図７は連結した状態の縦断面図、図８はその上面図である。各間仕切ユニットが向かい合う対面側縁部には、夫々、アルミニウム製の縦フレームＦ１，Ｆ２が設けられている。また、上端部と下端部等には横フレームＹ１等が配設されて間仕切ユニットの骨組みが形成されている。間仕切ユニット５０の縦フレームＦ１は、対面する相手側の縦フレームＦ２に対面する対面壁Ｆ１Ｈにおいて、この例では上端から下端にまで亘る切欠部Ｆ１Ｋが形成されている。更に、この切欠部と連通した後側には、この例では上端から下端にまで亘り、前記切欠部の幅よりも幅広の略山形の穴Ｆ１Ａが形成されている。
【００２２】
間仕切ユニット６０の縦フレームＦ２も同様であり、対面する相手側の縦フレームＦ１に対面する対面壁Ｆ２Ｈに、この例では上端から下端にまで亘る切欠部Ｆ２Ｋが形成されている。更に、この切欠部と連通した後側には、この例では上端から下端にまで亘り、前記切欠部の幅よりも幅広の略山形の穴Ｆ２Ａが形成されている。
【００２３】
この１対の縦フレームの各対面壁Ｆ１Ｈ，Ｆ２Ｈを近接対面させた状態に並べ、図４の（ｂ）に示す仮組状態の連結具組体４０の、レ字状連結具２０の連結部２２を両切欠部Ｆ１Ｋ，Ｆ２Ｋに挿通させつつ、レ字側縦方向部２４を縦フレームＦ１の穴Ｆ１Ａに挿通させ、一方、Ｌ字状連結具１０のＬ字側縦方向部１４を他方の縦フレームＦ２の穴Ｆ２Ａに挿通させる。このＬ字状連結具の横方向部１２の下面領域であって、レ字状連結具の縦方向部２４の上端面２４Ｔからはみ出した領域１２Ｓを、縦フレームＦ１の上端面で受け止めて連結具組体４０を載置できる。ただし、この例では、装飾部品５２が縦フレームＦ１の上端側に設けられており、実際の載置部は図７に示す部品５２の所定位置の段差部５２Ｄである。
【００２４】
こうして、連結具組体４０の各部を両縦フレームに挿入した状態では、各連結具１０，２０の縦方向面１４Ｓ，２４Ｓの間に各縦フレームの対面壁Ｆ１Ｈ，Ｆ２Ｈを挟んでいる。この状態で、上方から、ねじ部品３０を締め込むことは容易である。ねじ部品を締め込んで行くと、ねじ部品３０はＬ字状連結具１０の長孔１８を通っており、長孔の長手方向に相対移動可能であるため、図４の（ｂ）状態から（ｃ）状態に近づいて行く。即ち、同じ傾斜角度の傾斜面１６Ｓと傾斜面２６Ｓとの当接関係によって、両連結具１０，２０の各縦方向面１４Ｓ，２４Ｓ同士が互いに近づく。これにより、両縦フレームＦ１，Ｆ２が強固に連結され、間仕切ユニット５０，６０が連結される。その後、他の装飾部品である蓋部品５８を装着させる。このように本発明連結構造は仮組状態の連結具組体４０を単に落とし込み、上からねじ部品を締め込むだけでよく、簡便である。分解時も、ねじを緩めて係止孔１０Ｋ等を利用して引き上げればよい。
【００２５】
なお、縦フレームＦ１，Ｆ２は同一であるため、図６に示す連結具組体４０の左右を逆にしても、全く同様に連結できる。
図９は、高さの異なる間仕切ユニット５０’，６０同士を連結した状態の縦断面図である。この連結を可能にするには、既述の如く、横方向部１２の根元部１２Ｈ、即ち、縦方向部との連結部付近の幅を、縦フレームＦ２（Ｆ１’）の、図５に示すものと同じである切欠部Ｆ２Ｋ（Ｆ１Ｋ）の幅以下に構成する。これにより、連結具組体４０を低い方の間仕切ユニット５０’の縦フレームＦ１’の位置にまで押下げることができる。レ字状連結具２０の縦方向部２４を縦フレームＦ１’の穴Ｆ１Ａ’に挿入する等は図５の場合と同様である。
【００２６】
図１０は間仕切ユニット５０を支柱７０に連結させる場合の説明用上面図であり、図１１は２つの間仕切ユニット５０，５０”を、支柱を介して直交状態に連結した状態の上面図である。支柱７０は、横断面又は上面（下面）の端面形状が図示の如く正方形外郭を有しており、既述の縦フレームを９０度間隔で配設したものと看做すことができる。その内の一つを間仕切ユニット５０の縦フレームＦ１に対面させ、既述の連結具組体４０で連結する。この場合の連結対象体である支柱７０の４つの縦フレーム要素の１つの縦フレームＦ２’には、既述の縦フレームＦ２と同様に、対面壁Ｆ２Ｈ’と、切欠部Ｆ２Ｋ’と、該切欠部と連通し、より幅広の穴Ｆ２Ａ’を有する。他の間仕切ユニット５０”に関しても同様である。
【００２７】
図１２は、図７の間仕切ユニット５０，６０同士の上部連結構造に使用しているのと同じ連結具組体４０を、下部連結構造にも使用できることの説明図である。それは、単に連結具組体４０の上下を逆にして縦フレームＦ１，Ｆ２の下方から挿入し、図７の場合に載置部（段差部）５２Ｄと称している部位に対応する押し当て部（段差部）５２Ｄに押し当てた状態が挿入終端位置である。この位置において、ねじ部品をねじ込んで強固に連結する。その結果、連結具組体４０は、縦フレームの対面壁Ｆ１Ｈ，Ｆ２Ｈを強く挟持しているため、摩擦で落下することが防止される。この例では、上部、下部とも同じ連結具組体を使用して連結しているが、上部を他の適宜な連結具を使用してもよい。参照番号５４は間仕切ユニットの足である。
【００２８】
更には、既述の上部の連結構造を有する上での下部の連結構造としては、図１３と図１４で示す他の連結構造の例がある。図１３の矢視線Ｍ−Ｍの位置の横断面図が図１４に略示され、図１４の矢視線Ｎ−Ｎの位置の縦断面図が図１３に略示されている。下部レ字状連結具８０は、縦方向の基部８２と、この基部の下部に連結されると共に、その幅が縦フレームＦ２の切欠部Ｆ２Ｋの幅以下である下部レ字側係合部８６を有する。該下部レ字側係合部は、該基部又は装着された場合の縦方向フレームＦ２から上方程遠ざかる方向に傾斜した下部レ字側傾斜部８４を有し、連結具８０の断面はレ字形状となっている。
【００２９】
この下部レ字状連結具８０は、その基部８２が縦フレームＦ２の下方から穴Ｆ２Ａに挿入され、該基部８２に設けている横方向の雌ねじ部８２Ｎに対し、例えば、六角穴付きねじ１００を縦フレームＦ２の切欠部Ｆ２Ｋを介してねじ込む。これにより、ねじの先部が縦フレームＦ２の穴Ｆ２Ａを区画形成している壁Ｆ２ＡＨを押圧すると共に、下部レ字状連結具８０の基部８２が縦フレームＦ２の対面壁Ｆ２Ｈの内面を押圧し、その結果、下部レ字状連結具８０が摩擦力によって縦フレームの適宜な高さ位置に保持される。また、下部レ字側係合部８６は切欠部Ｆ２Ｋを介して図１３のように外側に出ている。
【００３０】
一方、相手側の間仕切ユニット５０の縦フレームＦ１には、傾斜状連結具９０が上記下部レ字状連結具８０と同じ構造、原理で縦フレームＦ１の適宜な所定高さ位置に保持されている。傾斜状連結具９０は雌ねじ部９２Ｎを有した基部９２と、該基部に連結され、上記下部レ字側傾斜部８４に対面できると共に同じ傾斜角度である傾斜部９４を有する係合部９６とを有している。
【００３１】
上記２つの連結具８０，９０を保持させた２つの間仕切ユニット５０，６０を連結させるには、図１３に図示するように、この例の場合は間仕切ユニット５０の方を高く位置させておき、その係合部９６を他方の連結具８０の係合部８６に引っ掛けるようにして間仕切ユニットの下部同士を係合連結させる。その後、既述の連結具組体４０を使用した上部連結を行う。この上部連結に従動するように、下部の連結部が傾斜部８４，９４の作用によって必然的に両間仕切ユニットの縦フレームの対面壁同士が近づくように寄り合った状態の連結となる。
【産業上の利用可能性】
【００３２】
本発明は、間仕切ユニットの連結構造として利用できる。
【図面の簡単な説明】
【００３３】
【図１】図１は本発明に係る連結構造に使用する２個の連結具とねじ部品との分解斜視図である。
【図２】図２は図１の３個の部品を異なる方向から見た分解斜視図である。
【図３】図３はこれら３個の部品を仮組みした連結具組体を示す図である。
【図４】図４はこれら３個の部品を組み合わせた際の部品間の動きの説明用断面図である。
【図５】図５は連結具組体を使用した間仕切ユニット連結構造の分解斜視図である。
【図６】図６は図５の上面図である。
【図７】図７は図５の間仕切ユニット連結状態の縦断面図である。
【図８】図８は図７の上面図である。
【図９】図９は本発明の他の形態例を示す図である。
【図１０】図１０は本発明の他の形態例の説明用図である。
【図１１】図１１は図１０に続く本発明形態例を示す図である。
【図１２】図１２は本発明の他の形態例を示す図である。
【図１３】図１３は本発明の他の形態例を示す略示縦断面図である。
【図１４】図１４は図１３の矢視線Ｍ−Ｍによる横断面図である。
【符号の説明】
【００３４】
１０                      Ｌ字状連結具
１２                      横方向部
１２Ｈ                    細幅部
１２Ｓ                    はみ出し領域
１４                      Ｌ字側縦方向部
１４Ｍ                    溝
１４Ｓ                    Ｌ字側縦方向面
１６Ｓ                    Ｌ字側傾斜部（傾斜面）
１８                      孔（長孔）
２０                      レ字状連結具
２２                      連結部
２４                      レ字側縦方向部
２４Ｎ                    雌ねじ部
２４Ｓ                    レ字側縦方向面
２４Ｔ                    端面
２６                      レ字側係合部
２６Ｓ                    レ字側傾斜部（傾斜面）
３０                      ねじ部品
３０Ｎ                    雄ねじ部
４０                      連結具組体
５０，５０’，５０”，６０  間仕切ユニット（連結対象体）
５２Ｄ                    載置部（段差部）
７０                      支柱（連結対象体）
８０                      下部レ字状連結具
８４                      下部レ字側傾斜部
８６                      下部レ字側係合部
９０                      傾斜状連結具
９４                      傾斜部
９６                      係合部
Ｆ１，Ｆ２                縦フレーム
Ｆ１Ａ，Ｆ２Ａ            穴
Ｆ１Ｈ，Ｆ２Ｈ            対面壁
Ｆ１Ｋ，Ｆ２Ｋ            切欠部
【図１】
0004958230.tif 000002
【図２】
0004958230.tif 000003
【図３】
0004958230.tif 000004
【図４】
0004958230.tif 000005
【図５】
0004958230.tif 000006
【図６】
0004958230.tif 000007
【図７】
0004958230.tif 000008
【図８】
0004958230.tif 000009
【図９】
0004958230.tif 000010
【図１０】
0004958230.tif 000011
【図１１】
0004958230.tif 000012
【図１２】
0004958230.tif 000013
【図１３】
0004958230.tif 000014
【図１４】
0004958230.tif 000015